(57)【要約】【課題】簡易な構成で、シートバック部の薄型化、軽量化を図る。【解決手段】シートクッション用パッド１１０が、メインパッド部１１１，１１２と周縁パッド部１１３とを有して構成され、メインパッド部１１１，１１２の後縁部が周縁パッド部１１３に対して上方に付勢される弾性を有した状態でクッションフレーム１００に設置されている。すなわち、人が着座するメインパッド部１１１，１１２は、金属バネ等を配設しなくても、上方への弾性を有している。従って、従来よりも薄い材料（ウレタン等）から形成しても、着座時のストローク感、振動吸収特性、衝撃吸収特性等を所望の特性とすることができ、簡易な構造でありながら、軽量化に貢献できる。【選択図】  図２
2014108741.tif 000002
【特許請求の範囲】
【請求項１】
シートクッション部とシートバック部を備えた車両用シートにおいて、
前記シートクッション部が、
前後に所定間隔をおいて配設される前縁フレーム及び後縁フレームと、前記前縁フレーム及び後縁フレームの対応する各端部間に配設される一対のサイドフレームとを備えるクッションフレームと、
前記前縁フレームを上側から被覆し、着座者の臀部下を支持する位置まで延びるメインパッド部と、前記メインパッド部の側部及び後縁部を取り囲み、前記メインパッド部の後縁部の下面を支持する位置まで延びる下面支持部を有する形状に形成された周縁パッド部とを備えてなり、前記メインパッド部と前記周縁パッド部の隣接する側部同士のうちの前方寄りの一部が連結され、前記メインパッド部の後縁部が前記周縁パッド部の下面支持部から上方に離間した状態で成型されてなるシートクッション用パッドと、
前記シートクッション用パッドを被覆し、前記メインパッド部の後縁部を前記周縁パッド部の下面支持部に押しつけるように配設されることにより、前記メインパッド部の後縁部側が上方に付勢される弾性を付与するシートクッション用被覆部材と
を有して構成されることを特徴とする車両用シート。
【請求項２】
前記シートクッション用パッドは、前記メインパッド部の後縁部の下面を支持する下面支持部を支持層とし、前記メインパッド部を柔軟層とした場合に、前記周縁パッド部の下面支持部と前記メインパッド部との間に、前記メインパッド部よりも相対的に硬い素材からなる中間層が配設された３層構造となっている請求項１記載の車両用シート。
【請求項３】
前記中間層は、前縁部が前記前縁フレームに支持され、後縁部が前記周縁パッド部の下面支持部と前記メインパッド部との間に位置する部材である請求項１記載の車両用シート。
【請求項４】
前記中間層は、前縁部が前記前縁フレームに支持され、前記周縁パッド部の下面支持部と前記メインパッド部との間に位置する後縁部側が上方に弾性的に付勢されるように設けられている部材である請求項３記載の車両用シート。
【請求項５】
前記中間層は、前縁部が前記前縁フレームに板バネを介して支持され、この板バネの弾性力によって前記後縁部側が上方に付勢されるプレート部材から構成される請求項４記載の車両用シート。
【請求項６】
前記シートクッション部は、２つのサイドシート部を有してなり、これらの各サイドシート部に対応する位置に前記メインパッド部を備えている請求項１〜５のいずれか１に記載の車両用シート。
【請求項７】
前記シートクッション部は、前記２つのサイドシート部を有すると共に、これらの各サイドシート部間に、所定幅のセンターシート部を有しており、
前記周縁パッド部は、前記各サイドシート部の外側の側部と、前記各サイドシート部間に位置する幅広の側部と、前記各サイドシート部のそれぞれの後縁部に対応する位置に設けられた前記下面支持部とを有して形成されており、
前記周縁パッド部の幅広の側部が、前記センターシート部に対応している請求項６記載の車両用シート。
【請求項８】
前記サイドシート部を構成する前記メインパッド部は、前縁部が、前記クッションフレームの前縁フレームよりも前方に突出する形状を有し、前記前縁部には、断面形状で前方ほど間隔が広がる切り欠き部が幅方向に形成されていると共に、この切り欠き部を介して上側前縁部と下側前縁部とを備える形状に形成され、前記上側前縁部を前記下側前縁部に近接する方向の荷重が付与されることにより、前記上側前縁部を復帰方向に付勢する弾性が作用する請求項１〜７のいずれか１に記載の車両用シート。
【請求項９】
前記センターシート部を構成する前記周縁パッド部の幅広の側部は、前縁部が、前記クッションフレームの前縁フレームよりも前方に突出する形状を有し、前記前縁部には、断面形状で前方ほど間隔が広がる切り欠き部が幅方向に形成されていると共に、この切り欠き部を介して上側前縁部と下側前縁部とを備える形状に形成され、前記上側前縁部を前記下側前縁部に近接する方向の荷重が付与されることにより、前記上側前縁部を復帰方向に付勢する弾性が作用する請求項７記載の車両用シート。
【請求項１０】
前記クッションフレームにおいて、前記シートクッション用パッドを構成する前記サイドシート部のメインパッド部の両側部に対応する位置の前記前縁フレーム及び後縁フレーム間に、ワイヤが掛け渡され、該ワイヤを利用して前記シートクッション用被覆部材が取り付けられている請求項１〜９のいずれか１に記載の車両用シート。
【請求項１１】
前記シートバック部は、
前記クッションフレームにブラケットを介して連結されるバックフレームを備え、
前記バックフレームが、略方形状に形成された外枠フレームと、前記外枠フレーム内で上下方向に沿って配置され、着座者の背を支持する体幹支持プレートとを有して構成される請求項１〜１０のいずれか１に記載の車両用シート。
【請求項１２】
前記シートクッション用パッドが前記センターシート部とその両側の前記サイドシート部とを備え、
前記バックフレームを構成する前記外枠フレームは、前記一方のサイドシート部及び前記センターシート部とを合わせた幅を有するように略方形状に形成された第１外枠フレームと、前記他方のサイドシート部に対応する幅を有するように略方形状に形成された第２外枠フレームとを有してなり、
前記第１外枠フレーム内に、前記一方のサイドシート部及び前記センターシート部のそれぞれに対応して、所定間隔をおいて２つの前記体幹支持プレートが設けられており、
前記第２外枠フレーム内に、前記他方のサイドシート部に対応して前記体幹支持プレートが設けられている請求項１１記載の車両用シート。
【請求項１３】
前記体幹支持プレートは、所定以上の荷重がかかることにより、上下方向の中途部分を中心として略く字形に変形する構成である請求項１１又は１２記載の車両用シート。
【請求項１４】
前記体幹支持プレートは、断面略コ字状に形成されている請求項１１〜１３のいずれか１に記載の車両用シート。
【請求項１５】
前記シートバック部においける前記バックフレームに支持されるシートバック用パッド又は前記シートクッション部における前記クッションフレームに支持されるシートクッション用パッドの適宜位置に、溝が形成されており、
前記溝内に、前記シートバック用パッドを被覆するシートバック用被覆部材又は前記シートクッション用パッドを被覆するシートクッション用被覆部材が面ファスナを介してつり込まれることによって意匠用の形状アクセントが形成されている請求項１１〜１４のいずれか１に記載の車両用シート。
【請求項１６】
前記溝の側壁面に一方の面ファスナが取り付けられていると共に、前記シートバック用被覆部材又は前記シートクッション用被覆部材に他方の面ファスナが取り付けられており、前記他方の面ファスナを前記溝内に挿入した際、その逆方向に離脱させようとすると前記各面ファスナのフック部及びループ部が係合する方向となり、各面ファスナの接合力がせん断方向に機能するように前記各面ファスナが取り付けられている請求項１５記載の車両用シート。
【請求項１７】
リヤシートとして用いられる請求項１〜１６のいずれか１に記載の車両用シート。
【請求項１８】
車両後方に段差を有して設けられたリヤシート支持用フロア部に、請求項１〜１７のいずれか１に記載の車両用シートが、そのクッションフレームを前記リヤシート支持用フロア部に固定して配設されていることを特徴とする車両。
【請求項１９】
前記リヤシート支持用フロア部は、前記クッションフレームの少なくとも一方のサイドフレームが、前記リヤシート支持用フロア部の車幅方向に沿って外方に突出し、突出する少なくとも一方のサイドフレームの下方に物品を収容可能な空間部が形成されている請求項１８記載の車両。
【発明の詳細な説明】
【技術分野】
【０００１】
本発明は、自動車などの車両用シート、特にリヤシートとして適する車両用シート、及び、該車両用シートを備えた車両に関する。
【背景技術】
【０００２】
車両用リヤシートは、特許文献１に示されているように、通常、所定厚さのウレタン材をシートクッション用パッドとして用い、このシートクッション用パッドをフロアに載置して使用される。また、クッションパンやワイヤを用い、その上にシートクッション用パッドを配設する場合もある。また、バックフレームは、所定の強度を簡易な構造で得ることを目的として、特許文献２，３に示されているようなパネルフレームを用いることが多い。
【先行技術文献】
【特許文献】
【０００３】
【特許文献１】特開平９−１４２１８９号公報
【特許文献２】特開２０１１−１０５０５０号公報
【特許文献３】特開２００１−３１４２７２号公報
【発明の概要】
【発明が解決しようとする課題】
【０００４】
従来の車両用リヤシートは、上記した構成からなるため、シートクッション部におけるクッション性は、シートクッション用パッドの厚さへの依存度が比較的高い。そのため、クッション性を高めようとするとパッドが厚くなり、重量が増す。パッドの厚さを所定の程度に収め、各種のバネ材を併用することも考えられるが、構造が複雑化し、使用するバネ材の種類、大きさ等によってあまり軽量化できない場合もある。一方、バックフレームで用いられるパネルフレームは、フレーム構造が簡易になる上に、前後から付与される荷重に対する強度を容易に高くできるいう利点は有するものの、重量が増加しがちである。特に、近年の省エネルギーに対する強い要望という点でも、車両用リヤシートの重量はより軽量であることが求められている。なお、これらの点は、リヤシートに限らず、フロントシートにおいても同様である。
【０００５】
本発明は上記に鑑みなされたものであり、簡易な構成で、シートバック部の薄型化、軽量化を図ることができる車両用シートの提供を課題とする。また、本発明は、シートバック部の薄型化、軽量化に加え、シートバック部の軽量化も図ることができる車両用シートの提供を課題とする。
【課題を解決するための手段】
【０００６】
上記課題を解決するため、本発明の車両用シートは、シートクッション部とシートバック部を備えた車両用シートにおいて、前記シートクッション部が、前後に所定間隔をおいて配設される前縁フレーム及び後縁フレームと、前記前縁フレーム及び後縁フレームの対応する各端部間に配設される一対のサイドフレームとを備えるクッションフレームと、前記前縁フレームを上側から被覆し、着座者の臀部下を支持する位置まで延びるメインパッド部と、前記メインパッド部の側部及び後縁部を取り囲み、前記メインパッド部の後縁部の下面を支持する位置まで延びる下面支持部を有する形状に形成された周縁パッド部とを備えてなり、前記メインパッド部と前記周縁パッド部の隣接する側部同士のうちの前方寄りの一部が連結され、前記メインパッド部の後縁部が前記周縁パッド部の下面支持部から上方に離間した状態で成型されてなるシートクッション用パッドと、前記シートクッション用パッドを被覆し、前記メインパッド部の後縁部を前記周縁パッド部の下面支持部に押しつけるように配設されることにより、前記メインパッド部の後縁部側が上方に付勢される弾性を付与するシートクッション用被覆部材とを有して構成されることを特徴とする。
【０００７】
前記シートクッション用パッドは、前記メインパッド部の後縁部の下面を支持する下面支持部を支持層とし、前記メインパッド部を柔軟層とした場合に、前記周縁パッド部の下面支持部と前記メインパッド部との間に、前記メインパッド部よりも相対的に硬い素材からなる中間層が配設された３層構造となっていることが好ましい。前記中間層は、前縁部が前記前縁フレームに支持され、後縁部が前記周縁パッド部の下面支持部と前記メインパッド部との間に位置する部材であることが好ましい。前記中間層は、前縁部が前記前縁フレームに支持され、前記周縁パッド部の下面支持部と前記メインパッド部との間に位置する後縁部側が上方に弾性的に付勢されるように設けられている部材であることが好ましい。前記中間層は、前縁部が前記前縁フレームに板バネを介して支持され、この板バネの弾性力によって前記後縁部側が上方に付勢されるプレート部材から構成されることが好ましい。前記シートクッション部は、２つのサイドシート部を有してなり、これらの各サイドシート部に対応する位置に前記メインパッド部を備えていることが好ましい。
【０００８】
前記シートクッション部は、前記２つのサイドシート部を有すると共に、これらの各サイドシート部間に、所定幅のセンターシート部を有しており、前記周縁パッド部は、前記各サイドシート部の外側の側部と、前記各サイドシート部間に位置する幅広の側部と、前記各サイドシート部のそれぞれの後縁部に対応する位置に設けられた前記下面支持部とを有して形成されており、前記周縁パッド部の幅広の側部が、前記センターシート部に対応している構成であることが好ましい。前記サイドシート部を構成する前記メインパッド部は、前縁部が、前記クッションフレームの前縁フレームよりも前方に突出する形状を有し、前記前縁部には、断面形状で前方ほど間隔が広がる切り欠き部が幅方向に形成されていると共に、この切り欠き部を介して上側前縁部と下側前縁部とを備える形状に形成され、前記上側前縁部を前記下側前縁部に近接する方向の荷重が付与されることにより、前記上側前縁部を復帰方向に付勢する弾性が作用する構成であることが好ましい。
【０００９】
前記センターシート部を構成する前記周縁パッド部の幅広の側部は、前縁部が、前記クッションフレームの前縁フレームよりも前方に突出する形状を有し、前記前縁部には、断面形状で前方ほど間隔が広がる切り欠き部が幅方向に形成されていると共に、この切り欠き部を介して上側前縁部と下側前縁部とを備える形状に形成され、前記上側前縁部を前記下側前縁部に近接する方向の荷重が付与されることにより、前記上側前縁部を復帰方向に付勢する弾性が作用する構成であることが好ましい。前記クッションフレームにおいて、前記シートクッション用パッドを構成する前記サイドシート部のメインパッド部の両側部に対応する位置の前記前縁フレーム及び後縁フレーム間に、ワイヤが掛け渡され、該ワイヤを利用して前記シートクッション用被覆部材が取り付けられている構成であることが好ましい。
【００１０】
前記シートバック部は、前記クッションフレームにブラケットを介して連結されるバックフレームを備え、前記バックフレームが、略方形状に形成された外枠フレームと、前記外枠フレーム内で上下方向に沿って配置され、着座者の背を支持する体幹支持プレートとを有して構成されることが好ましい。前記シートクッション用パッドが前記センターシート部とその両側の前記サイドシート部とを備え、前記バックフレームを構成する前記外枠フレームは、前記一方のサイドシート部及び前記センターシート部とを合わせた幅を有するように略方形状に形成された第１外枠フレームと、前記他方のサイドシート部に対応する幅を有するように略方形状に形成された第２外枠フレームとを有してなり、前記第１外枠フレーム内に、前記一方のサイドシート部及び前記センターシート部のそれぞれに対応して、所定間隔をおいて２つの前記体幹支持プレートが設けられており、前記第２外枠フレーム内に、前記他方のサイドシート部に対応して前記体幹支持プレートが設けられていることが好ましい。
【００１１】
前記体幹支持プレートは、所定以上の荷重がかかることにより、上下方向の中途部分を中心として略く字形に変形する構成であることが好ましい。前記体幹支持プレートは、断面略コ字状に形成されていることが好ましい。前記シートバック部においける前記バックフレームに支持されるシートバック用パッド又は前記シートクッション部における前記クッションフレームに支持されるシートクッション用パッドの適宜位置に、溝が形成されており、前記溝内に、前記シートバック用パッドを被覆するシートバック用被覆部材又は前記シートクッション用パッドを被覆するシートクッション用被覆部材が面ファスナを介してつり込まれることによって意匠用の形状アクセントが形成されていることが好ましい。前記溝の側壁面に一方の面ファスナが取り付けられていると共に、前記シートバック用被覆部材又は前記シートクッション用被覆部材に他方の面ファスナが取り付けられており、前記他方の面ファスナを前記溝内に挿入した際、その逆方向に離脱させようとすると前記各面ファスナのフック部及びループ部が係合する方向となり、各面ファスナの接合力がせん断方向に機能するように前記各面ファスナが取り付けられていることが好ましい。
また、前記車両用シートはリヤシートとして用いられるのに適する。
【００１２】
また、本発明の車両は、車両後方に段差を有して設けられたリヤシート支持用フロア部に、前記車両用シートが、そのクッションフレームを前記リヤシート支持用フロア部に固定して配設されていることを特徴とする。前記リヤシート支持用フロア部は、前記クッションフレームの少なくとも一方のサイドフレームが、前記リヤシート支持用フロア部の車幅方向に沿って外方に突出し、突出する少なくとも一方のサイドフレームの下方に物品を収容可能な空間部が形成されている構成とすることが好ましい。
【発明の効果】
【００１３】
本発明の車両用シートによれば、シートクッション用パッドが、メインパッド部と周縁パッド部とを有して構成され、メインパッド部の後縁部が周縁パッド部に対して上方に付勢される弾性を有した状態でクッションフレームに設置されている。すなわち、人が着座するメインパッド部は、金属バネ等を配設しなくても、上方への弾性を有している。従って、従来よりも薄い材料（ウレタン等）から形成しても、着座時のストローク感、振動吸収特性、衝撃吸収特性等を所望の特性とすることができ、簡易な構造でありながら、軽量化に貢献できる。
【００１４】
また、本発明は、バックフレームをパネルではなく、略方形状の外枠フレームと、この外枠フレームの中に、着座者の背を支持可能に配置した体幹支持プレートを使用した構成である。従って、バックフレーム全体の重量がパネルを用いる場合よりも軽くなり、車両用リヤシート全体の軽量化に資する。すなわち、パネルフレームのように、シートバック部全体の強度を高めるのではなく、荷重がかかる部位である着座者の背の幅方向中心付近を体幹支持プレートで支持し、それを外枠フレームで支えるようにすることで、必要な部位の強度を高めるようにすることで軽量化を図ったものである。これにより、着座者の背をシートバック部に押しつける方向に大きな力が加わった際には、体幹支持プレートで着座者の背を支持しながら、大きな力を外枠フレームで受けるため、外枠フレーム及び体幹支持フレームを含むバックフレーム全体が後方に変位して衝撃を吸収できる。また、前後に大きな衝撃が加わった際、シートクッション部ではクッションフレームを介して前後に衝撃が伝達され、さらに、クッションフレーム及びバックフレームをボディに固定するボディ取付用ブラケットを介してボディに伝達されて効率よく分散される。その一方、車両用シートの背後に配置される荷室内の荷物の前方への移動によって所定以上の荷重がかかった場合には、体幹支持プレートが上下方向の中途部分を中心として略く字形に変形しながら衝撃を吸収することができる。特に、体幹支持プレートは、断面略コ字状に形成されていることが好ましく、それにより荷室内の荷物の移動によってかかる所定以上の荷重を、略コ字状の断面が開くように座屈変形してより効果的に吸収できる。従って、本発明はリヤシートして特に適しているがフロントシートでも応用可能である。
【図面の簡単な説明】
【００１５】
【図１】図１は、本発明の一の実施形態に係る車両用リヤシートの外観斜視図である。
【図２】図２は、図１の分解斜視図である。
【図３】図３は、クッションフレーム及びバックフレームを後方から見た斜視図である。
【図４】図４（ａ）は、車両用リヤシートの外観斜視図であり、図４（ｂ）は、図４（ａ）のＡ−Ａ線断面図であり、図４（ｃ）は、図４（ｂ）のＢ部拡大図である。
【図５】図５（ａ）は、車両用リヤシートの外観斜視図であり、図５（ｂ）は、図５（ａ）のＣ−Ｃ線又はＤ−Ｄ線の断面図であり、図５（ｃ）は、図５（ａ）のＥ−Ｅ線断面図であり、図５（ｄ）は、図５（ｂ）のＦ部拡大図である。
【図６】図６（ａ）は、クッションフレーム及びバックフレームを示した斜視図であり、図６（ｂ）は、図６（ａ）のＡ方向から見たプレート部材及び前縁フレームを示した図であり、図６（ｃ）はプレート部材を前縁フレームに取り付ける手段を示した図であり、図６（ｄ）は、図６（ａ）のＡ方向から見たプレート部材及び前縁フレームを示した図であって図６（ｂ）と異なる角度で示した図である。
【図７】図７（ａ）は、シートクッション用パッドの一部を示した図であり、図７（ｂ）はシートクッション用パッドを前方から見た斜視図であり、図７（ｃ）はシートクッション用パッドを後方から見た斜視図であり、図７（ｄ）はメインパッド部と側部との関係を示した図であり、図７（ｅ）は図７（ｄ）のＤ−Ｄ線の断面図であって、メインパッド部がシートクッション用被覆部材で被覆される前の状態を示す図であり、図７（ｆ）は図７（ｄ）のＤ−Ｄ線の断面図であって、メインパッド部がシートクッション用被覆部材で被覆された際の状態を示す図である。
【図８】図８（ａ）は、車両用リヤシートの外観斜視図であり、図８（ｂ）は、シートクッション部を下方向から見た図であり、図８（ｃ）は、図８（ａ）のＡ−Ａ断面図である。
【図９】図９（ａ）は、車両用リヤシートの外観斜視図であり、図９（ｂ）は、図９（ａ）のＣ−Ｃ線又はＤ−Ｄ線の断面図であり、図９（ｃ）は、図９（ａ）のＥ−Ｅ線断面図である。
【図１０】図１０（ａ）は、車両用リヤシートの外観斜視図であり、図１０（ｂ）は、図１０（ａ）のＦ−Ｆ線断面図であり、図１０（ｃ）は、図１０（ａ）のＧ−Ｇ線断面図であり、図１０（ｄ）は、図１０（ｂ）のＨ部拡大図であり、図１０（ｅ）は、図１（ｃ）のＪ部拡大図である。
【図１１】図１１は、図１０（ｂ）のＨ部に相当する拡大図であって、面ファスナの他の取り付け方を説明するための図である。
【図１２】図１２は、クッションフレームとリヤシート支持用フロア部との間に段差を設けた場合の一例を示した図である。
【図１３】図１３（ａ）は、シートバック耐積荷強度試験の試験方法を説明するための図であり、図１３（ｂ）は、モーメント強度試験の試験方法を説明するための図である。
【図１４】図１４（ａ）は、シートバック耐積荷強度試験に関する実施例及び比較例の試験結果を示した図であり、図１４（ｂ）は、モーメント強度試験に関する実施例及び比較例の試験結果を示した図である。
【発明を実施するための形態】
【００１６】
以下、図面に示した実施形態に基づき、本発明をさらに詳細に説明する。図１〜図６は、本発明を車両用リヤシート１に適用した例を示したものである。この車両用リヤシート１は、シートクッション部１０及びシートバック部２０を有して構成される。シートクッション部１０は、本実施形態では、車幅方向に所定間隔離間した２つのサイドシート部１１，１２と、それらの間のセンターシート部１３とを有している。
【００１７】
シートクッション部１０は、クッションフレーム１００、シートクッション用パッド１１０、シートクッション用被覆部材１２０を有して構成される。クッションフレーム１００は、車幅方向に伸び、前後に所定間隔をおいて配設される前縁フレーム１０１及び後縁フレーム１０２と、前縁フレーム１０１及び後縁フレーム１０２の対応する各端部間に配設される一対のサイドフレーム１０３，１０４とを備えて構成される。なお、サイドフレーム１０３，１０４の下部に車両フロアに設置した際の高さ調整や隙間を埋めるための発泡ビーズ１０３ａ，１０４ａが装着される。もちろん、このような高さ調整等が必要のない場合には、発泡ビーズ１０３ａ，１０４ａを配設しなくてもよい。後縁フレーム１０２には、後方に突出するボディ取付用ブラケット１０５が適宜の間隔をおいて３箇所に設けられており、このボディ取付用ブラケット１０５をボルトでボディの所定位置に固定して配置される。このように本実施形態では、シートクッション部１０のクッションフレーム１００が、前縁フレーム１０１及び後縁フレーム１０２を有し、両者間にサイドフレーム１０３，１０４が掛け渡されている。
【００１８】
従って、前後に大きな衝撃が加わった際には、衝撃が前縁フレーム１０１から各サイドフレーム１０３，１０４を介して後縁フレーム１０２に伝達され、さらに、クッションフレーム１００及びバックフレーム２００をボディに固定するボディ取付用ブラケット１０５を介してボディに伝達される構成である。そのため、従来のリヤシートと比較して、シートクッション用パッド１１０として薄いものを使用しても、衝撃エネルギーが効率よく分散される。また、前縁フレーム１０１及び後縁フレーム１０２はいずれもパイプ材から形成され、一対のサイドフレーム１０３，１０４も所定太さの棒状部材（内部に一部薄肉加工をしたもの）あるいはパイプ材から形成されている。そして、前縁フレーム１０１は、図６（ｂ），（ｃ）に示したように、フック１０１ａを溶接し、これをボディ（フロア等）に固定しているが、本実施形態では、このようにクッションフレーム１００がパイプ材等から構成され所定の強度を有しているため、フック１０１ａは、前縁フレーム１０１に対して少なくとも１箇所設けられていればよく、その点でも構成が簡易かされる。
【００１９】
前縁フレーム１０１及び後縁フレーム１０２間には、各サイドフレーム１０３，１０４と略平行に、車幅方向に沿って４本のワイヤ１０６が掛け渡されている。具体的には、各サイドフレーム１０３，１０４のすぐ内側に２本のワイヤ１０６，１０６が配設され、その２本のワイヤ１０６，１０６間に車幅方向に略均等間隔で他の２本のワイヤ１０６，１０６が配設されており、隣接する各ワイヤ１０６，１０６間が、上記した各サイドシート部１１，１２及びセンターシート部１３に対応する位置となっている。
【００２０】
隣接する各ワイヤ１０６，１０６間には、合成樹脂製のプレート部材１０７がそれぞれ配設されている。プレート部材１０７は、平面視で略長方形に形成され、前縁部１０７ａが前縁フレーム１０１の上部を通過して前方に突出し、後縁部１０７ｂが後述するメインパッド部１１１，１１２の後縁部１１１１，１１２１に対応する位置まで延びる大きさで形成され、後縁部１０７ｂ側が上方に弾性的に付勢されるように設けられている。これは、各サイドシート部１１，１２及びセンターシート部１３に着座した際のストローク感を出すと共に、振動吸収機能も機能するように配設されるものである。このような付勢力を発生させる手段として、本実施形態では、図６に示したように、前縁フレーム１０１の下方から、プレート部材１０７の前縁部１０７ａに向かって、前縁フレーム１０１を被覆する湾曲部１０８ａを備えた板バネ１０８を当接して両者を連結し、この板バネ１０８の弾性力によって後縁部１０７ｂが上方に付勢されるようにしている。
【００２１】
シートクッション用パッド１１０は、発泡ウレタン等から形成されるメインパッド部１１１，１１２と周縁パッド部１１３とを有して構成される。本実施形態では、メインパッド部１１１，１１２は、車幅方向に所定間隔離間した位置に設けられ、上記した２つのサイドシート部１１，１２を構成する。
【００２２】
周縁パッド部１１３は、平面視で、全体としては略Ｗ字状となる形状を有している。具体的には、各メインパッド部１１１，１１２のそれぞれの外側に位置する側部（外方側部）１１３１，１１３２と、各メインパッド部１１１，１１２の間に位置する幅広の側部（幅広側部）１１３３と、一方の外方側部１１３１から幅広側部１１３３を経てさらに他方の外方側部１１３２を、それらの後部で一体に連結する後部連結部１１３４とを有し、これらが一体に形成されている。
【００２３】
後部連結部１１３４は、メインパッド部１１１，１１２の幅とほぼ同じかそれよりも狭い幅で前方に若干延びる形状で、厚み方向断面の下側に位置する下面支持部１１３４ａと、下面支持部１１３４ａの後部から厚み方向断面で上方に延び、さらに後方に反り返るように延びる上縁部１１３４ｂを有する形状に形成されている（図７参照））。そして、この上縁部１１３４ｂが、クッションフレーム１００の後縁フレーム１０２の上部を被覆し（図５（ｂ）参照）、各外方側部１１３１，１１３２がクッションフレーム１００の各サイドフレーム１０３，１０４の上部を被覆するように配設される。
【００２４】
なお、幅広側部１１３３は、メインパッド部１１１，１１２の間に位置し、センターシート部１３を構成する。センターシート部１３を構成するため、この幅は人が着座可能な程度で形成される。
【００２５】
上記したメインパッド部１１１，１１２は、周縁パッド部１１３の一方の外方側部１１３１と幅広側部１１３３の間、他方の外方側部１１３２と幅広側部１１３３の間に配置され、各メインパッド部１１１，１１２の後縁部１１１１，１１２１が周縁パッド部１１３の下面支持部１１３４ａ上に位置するように設けられる（図５（ｂ）、図７（ｅ），（ｆ）参照）。また、各メインパッド部１１１の各側部とこれに隣接する周縁パッド部１１３の各外方側部１１３１，１１３２及び幅広側部１１３３のうちの前方寄りの部位（図７（ａ），（ｄ）の斜線で示した部分（連結部Ａ〜Ｄ）同士が連結されている。各メインパッド部１１１，１１２と周縁パッド部１１３は、一体成型で作られており、各メインパッド部１１１，１１２と周縁パッド部１１３は、上記した連結部Ａ〜Ｄにおいてのみ連結され、各メインパッド部１１１，１１２の後縁部１１１１，１１２１が周縁パッド部１１３の下面支持部１１３４ａから上方に離間した状態となるように成型されている（図７（ｅ）参照）。
【００２６】
メインパッド部１１１，１１２はさらに、前縁部１１１２，１１２２が、クッションフレーム１００の前縁フレーム１０１よりも前方に突出する形状を有している（図５（ｂ），（ｃ）参照）。また、前縁部１１１２，１１２２は、断面形状で側面から見た際に、前方ほど間隔が広がる切り欠き部１１１２ａ，１１２２ａが幅方向に沿って形成され、この切り欠き部１１１２ａ，１１２２ａを介して上側前縁部１１１２ｂ，１１２２ｂと下側前縁部１１１２ｃ，１１２２ｃとを備える形状に形成されている。従って、人が着座して大腿部の荷重がかかると、上側前縁部１１１２ｂ，１１２２ｂを下側前縁部１１１２ｃ，１１２２ｃに近接する方向に変位するため、上側前縁部１１１２ｂ，１１２２ｂを元に戻す方向に付勢する弾性が作用する。それにより、着座時に大腿部が接した際のストローク感を大きくし、振動吸収機能の向上を果たすこともできる。つまり、大腿部裏を所定の弾性力を作用させて支持する構造を、専用の金属バネ材などを配置することなく、シートクッション用パッド１１０の構造のみで担わせることができ、この点も、軽量化に寄与する。
【００２７】
なお、前縁フレーム１０１には上記したプレート部材１０７が板バネ１０８を介して取り付けられているため（図６参照）、メインパッド部１１１，１１２は、このプレート部材１０７上に配置されることになる。また、プレート部材１０７の後縁部１０７ｂは、図５（ｂ）に示したように、周縁パッド部１１３の下面支持部１１３４ａ上に位置するように配置される。これにより、メインパッド部１１１，１１２には板バネ１０８の弾性力も作用する。プレート部材１０７をこのように配設する結果、下面支持部１１３４ａを支持層としてメインパッド部１１１，１１２を柔軟層とした場合に、両者の間の中間層がメインパッド部１１１，１１２よりも相対的に硬い素材である硬質の合成樹脂製のプレート部材１０７から構成されることになる。このため、人の臀部筋肉の当接側は相対的に柔らかなバネ特性を備えたメインパッド部１１１，１１２で支持され、着座時の当たり感が柔らかくなる一方で、その下面に相対的に線形性の高いて比較的硬いプレート部材１０７が位置しているため、集中荷重とならず体圧分散性に優れている。
【００２８】
ここで、メインパッド部１１１，１１２の間に位置する幅広側部１１３３は、周縁パッド部１１３の一部となっている。そのため、その後縁部が上方に付勢されているわけではない。そこで、本実施形態では、後縁部付近にスリット１１３３ｄを設け、幅広側部１１３３を前後に振動しやすくし、それによってより高い振動吸収機能が発揮されるようになっている（図５（ｃ）、図７（ａ）〜（ｃ）参照）。また、着座時のストローク感や振動吸収機能をより向上させるため、幅広側部１１３３も、メインパッド１１１，１１２と同様に、前縁部が前縁フレーム１０１より前方に突出し、その断面形状で側面から見た際に、前方ほど間隔が広がる切り欠き部１１３３ａが幅方向に沿って形成され、この切り欠き部１１３３ａを介して上側前縁部１１３３ｂと下側前縁部１１３３ｃとを備える形状に形成され、大腿部裏を所定の弾性力を作用させて支持する構造となっている（図５（ｃ）参照）。
【００２９】
また、幅広側部１１３３は、図５（ｃ）に示したように、後縁部の下部に前方から切り込まれたような形状の切り欠き部１１３３ｅを有しており、センターシート部１３に対応する位置に配置される上記したプレート部材１０７の後縁部１０７ｂは、この切り欠き部１１３３ｅに挿入され、幅広側部１１３３の下面を支持している。従って、この部位も柔軟層と硬い層とその下部の支持層との組み合わせになっており、メインパッド部１１１，１１２に相当する位置のサイドシート部１１，１２と同様に、センターシート部１３においても、着座時の柔らかな当たり感と良好な体圧分散性を達成できる。
【００３０】
シートクッション用被覆部材１２０は、シートクッション用パッド１１０を被覆し、クッションフレーム１００を取り囲んで、前縁フレーム１０１、後縁フレーム１０２、各サイドフレーム１０３，１０４及び各発泡ビーズ１０３ａ，１０４ａの下方でロープなどによって絞られて配置される。上記したように、シートクッション用パッド１１０は、成型時において、メインパッド部１１１，１１２の各後縁部１１１１，１１２１が周縁パッド部１１３の下面支持部１１３４ａから上方に離間した状態となっている（図７（ｅ）参照）。しかし、シートクッション用被覆部材１２０で被覆されることにより、メインパッド部１１１，１１２の各後縁部１１１１，１１２１が連結部Ａ〜Ｄを中心として回動し、各下面支持部１１３４ａに接する方向に押しつけられる（図７（ｆ）参照）。この結果、メインパッド部１１１，１１２の各後縁部１１１１，１１２１が連結部Ａ〜Ｄを中心として上方に戻る方向に常時付勢されることになるため、それにより、所定の弾性力が作用することになる。これにより、特別な金属バネ部材等を用いなくても、あるいは、メインパッド部１１１，１１２の厚さが比較的薄いものであっても、この上方への復元力による所定の弾性を作用させ、ストローク感、振動吸収機能等をより向上させることができる。
【００３１】
シートクッション用被覆部材１２０は、具体的には、合成皮革、本革、ファブリックなどの表皮材が用いられ、図４に示したように、周縁パッド部１１３の一方の外方側部１１３１と一方のメインパッド部１１１の間に位置するワイヤ１０６、一方のメインパッド部１１１と幅広側部１１３３の間に位置するワイヤ１０６、幅広側部１１３３と他方のメインパッド部１１２の間に位置するワイヤ１０６、他方のメインパッド部１１２と他方の外方側部１１３２の間に位置するワイヤ１０６のそれぞれに対し、合成樹脂製のフック部材１０６ａを介してつり込まれる。そして、シートクッション用被覆部材１２０の外周部は、周縁パッド部１３０の外周とメインパッド部１１１，１１２の前面を被覆し、それらの下方に回され、外周縁部１２１の折り返し部に挿入されたロープ１２２を絞り込むことによって配置される（図８参照）。
【００３２】
図４では、シートクッション用被覆部材１２０をワイヤ１０６にフック部材１０６ａを介してつり込んでいるが、図８及び図９に示したように、各メインパッド部１１１，１１２の両側部に対応するシートクッション用被覆部材１２０の上面境界部１２３，１２４にそれぞれ下面被覆部１２５，１２６を縫い継いで連結し、各下面被覆部１２５，１２６を、各メインパッド部１１１，１１２の側部の隙間を通じて上側から下側に通し、それぞれに対応する位置に存在するワイヤ１０６，１０６に掛け回して、各メインパッド部１１１，１１２の下面で各下面被覆部１２５，１２６の端縁同士を面ファスナ１２７を介して接続する構成とすることもできる。
【００３３】
シートバック部２０は、図２及び図３に示したように、バックフレーム２００、シートバック用パッド２１０、シートバック用被覆部材２２０を有して構成される。バックフレーム２００は、本実施形態では、車幅方向に６：４の割合で分割され、いずれもパイプ材を略方形状に加工して形成された第１外枠フレーム２０１と第２外枠フレーム２０２とを有している。第１外枠フレーム２０１は、上記した一方のサイドシート部１１及びセンターシート部１３とを合わせた幅を有し、第２外枠フレーム２０２は他方のサイドシート部に相当する幅を有している。
【００３４】
そして、第１外枠フレーム２０１の両サイドフレーム２０１ａ，２０１ｂの下部及び第２外枠フレーム２０２の両サイドフレーム２０２ａ，２０２ｂの下部がそれぞれ、クッションフレーム１００の後縁フレーム１０２から後方に突出する３つのボディ取付用ブラケット１０５の中途にボルト連結されている。
【００３５】
第１外枠フレーム２０１においては、一方のサイドシート部１１に着座する人の背（特に背の中心付近）に対応する位置、センターシート部１３に着座する人の背（特に背の中心付近）に対応する位置に、それぞれ、該第１外枠フレーム２０１の上部フレーム２０１ｃ及び下部フレーム２０１ｄ間に上下方向に沿って体幹支持プレート２０３，２０４が配設されている。第２外枠フレーム２０２においては、他方のサイドシート部１２に着座する人の背（特に背の中心付近）に対応する位置に、該第２外枠フレーム２０２の上部フレーム２０２ｃ及び下部フレーム２０２ｄ間に上下方向に沿って体幹支持プレート２０５が配設されている。
【００３６】
体幹支持プレート２０３，２０４，２０５は、上下方向略中央部よりも下方の部位が前面方向に膨出する形状に形成されており、この膨出部２０３ａ，２０４ａ，２０５ａより上の中途部、すなわち上下方向略中央部が相対的に弱い部分となっている一方、各外枠フレーム２０１，２０２に連結されている端部付近は変形しにくい。従って、体幹支持プレート２０３，２０４，２０５は、通常時において人の背を支持しつつ、人の背をシートバック部２０に押しつける方向に大きな荷重が付加された場合には、各外枠フレーム２０１，２０２に連結されている端部付近が変形しにくいため、各外枠フレーム２０１，２０２の上部側が後方に変位するように、各外枠フレーム２０１，２０２の全体が後傾する。すなわち、体幹を支える機能を果たしながら、衝撃吸収のために外枠フレーム２０１，２０２が後傾していくようになっており、従来のように、第１外枠フレーム２０１及び第２外枠フレーム２０２の全ての面をパネル状にしなくても、効率的に荷重を支持し、衝撃を吸収することができる。
【００３７】
体幹支持プレート２０３，２０４，２０５はまた、断面形状が略コ字状（あるいはハット形）に形成されている。このため、後方からかかる荷重、特に、荷室の荷物が急ブレーキなどにより前方に移動し、それによって所定以上の荷重がかかる場合、断面略コ字状でそのうち開放面が後方に向いているため（図３参照）、断面略コ字状の側部が座屈するような変形をする。よって、その変形により衝撃エネルギーを吸収することができる。そしてさらに、その衝撃エネルギーが所定以上であれば体幹支持プレート２０３，２０４，２０５の上下方向略中央部が相対的に弱い部分となっているため、略く字状に変形して衝撃を吸収する。従って、本実施形態のバックフレーム２００によれば、前後いずれからかかる衝撃エネルギーも効率よく吸収することができる。
【００３８】
第１外枠フレーム２０１の体幹支持プレート２０３，２０４は上下方向略中央部において、具体的には膨出部２０３ａ，２０４ａより若干上の部分で車幅方向に沿う補強フレーム２０６が溶接されている。これにより、体幹支持プレート２０３，２０４から外れた位置に衝撃エネルギーが付加された場合でも、この補強フレーム２０６を介して、体幹支持プレート２０３，２０４、第１外枠フレーム２０１が連係し、上記した作用により、前後いずれの衝撃エネルギーも確実に吸収することができる。
【００３９】
第１外枠フレーム２０１の上部フレーム２０１ｃには、体幹支持プレート２０３，２０４に対応する位置に、第２外枠フレーム２０２の上部フレーム２０２ｃには体幹支持プレート２０５に対応する位置に、それぞれヘッドレスト用支持部２０７が設けられ、このヘッドレスト用支持部２０７によってヘッドレスト２０８のヘッドレストフレーム２０８ａが差し込まれて支持される。
【００４０】
なお、シートバック用パッド２１０は、上記したバックフレーム２００に一体発泡されて形成される。また、シートバック用パッド２１０の表面にシートバック用被覆部材２２０が配設される。シートバック用被覆材２２０は、上記したシートクッション用被覆部材１２０と同様の材料で形成することができる。また、本実施形態では、シートバック用パッド２１０は、バックフレーム２００の第１外枠フレーム２０１及び第２外枠フレーム２０２にそれぞれ合わせて、車幅方向に６：４で分割された２つのパッド部２１１，２１２から構成され、同様に、シートバック用被覆材２２０は２つの被覆材２２１，２２２から構成されている。
【００４１】
より詳細には、図１０に示したように、各被覆材２２１，２２２は袋状に形成されており、各パッド部２１１，２１２の周面を取り囲むように被覆される（図１０（ｂ），（ｃ）参照）。一方のサイドシート部１１に対応する一方の被覆材２２１の両側部及び他方のサイドシート部１２に対応する他方の被覆材２２２の外側の側部には、それぞれシートバック部２０の縦方向（上下方向）に沿って、意匠用の形状アクセントとしての縦方向凹状部２３０が形成されている。この縦方向凹状部２３０は、まず、シートバック用パッド２１１，２１２における対応位置において、凹状の縦方向の溝（縦溝）２１１ａ，２１２ａが形成されるように成型する。この際、この縦溝２１１ａ，２１２ａ内に面ファスナ２１３を配置して一体に成型する。そして、各被覆材２２１，２２２における対応位置に沿って縦方向に面ファスナ２２３を縫い付け、この面ファスナ２２３を縦溝２１１ａ，２１２ａ内に配置された面ファスナ２１３に接合する。これにより、各被覆材２２１，２２２が縦溝２１１ａ，２１２ａ内に引き込まれ、形状アクセントとしての縦方向凹状部２３０が形成される（図１０（ｄ）参照）。
【００４２】
また、各サイドシート部１１，１２には、着座者の胸部付近に相当する位置に同様に横方向凹状部２４０が形成されているが、これも上記同様に、シートバック用パッド２１１，２１２の対応位置に横方向の溝（横溝）２１１ｂ，２１２ｂを形成すると共に面ファスナ２１４を一体に成型して配置し、各被覆材２２１，２２２における対応位置に沿って横方向に面ファスナ２２４を縫い付け、面ファスナ２１４，２２４同士を結合させて各被覆材２２１，２２２を引き込むことにより形成される（図１０（ｅ）参照）。このように、本実施形態によれば、形状アクセントとしての縦方向凹状部２３０及び横方向凹状部２４０を形成するに当たって、面ファスナ２１３，２１４，２２３，２２４を用いた構造であるため、オームクリップなど金具を使用することなく設けることができ、軽量化、コストの低減化に寄与できる。
【００４３】
また、図１０（ｄ）では、縦溝２１１ａ，２１２ａの溝底面に面ファスナ２１３を設けているが、図１１に示したように、縦溝２１１ａ，２１２ａの側壁面に面ファスナ２１３Ａ，２１３Ａを設ける構成とすることが好ましい。この場合、被覆材２２１，２２２に縦溝２１１ａ，２１２ａ内から離脱する方向に加わる力に対し、接合している被覆材２２１，２２２側の面ファスナ２２３と側壁面の面ファスナ２１３Ａ，２１３Ａとが面方向のせん断力で対抗するため、両者の接合力が強く作用し、離脱しにくくなる。また、被覆材２２１，２２２側の面ファスナ２２３と側壁面の面ファスナ２１３Ａ，２１３Ａとは、離脱方向に力が作用すると、各面ファスナ２２３，２１３Ａ，２１３Ａに形成されているフック部２１３Ａ１，２１３Ａ１又はループ部が互いに係合する方向となる向きで設けることが好ましい。これにより、縦溝２１１ａ，２１１ａの溝底面は閉塞されているため、溝底面方向に向かってずれて両者の係合が解除されることはないため、縦溝２１１ａ，２１１ａの溝内から抜けようとする力がかかった際に面ファスナの接合力がせん断方向に機能し、両者の係合状態は容易には解除されない。なお、横溝２１１ｂ，２１２ｂにおいても側壁面に面ファスナを設けることが好ましい点は同様である。
【００４４】
また、シートバック部２０に限らず、シートクッション部１０に形状アクセントとしての凹状部を設ける場合も同様であり、シートクッション用パッド１１０の適宜位置に溝を形成し、シートクッション用被覆部材１２０を上記と同様に面ファスナを介してつり込むようにすることが好ましい。この場合、溝の側壁面に面ファスナを取り付け、せん断方向に係合力が作用するようにすることが好ましいことも同様である。
【００４５】
本実施形態によれば、シートクッション部１０を構成するシートクッション用パッド１１０のメインパッド部１１１，１１２が周縁パッド部１１３に対して上方に付勢された一体成型体であり、これをシートクッション用被覆材１２０で被覆することによって所望のクッション特性を得るに当たって、より薄手、軽量のウレタン材等のクッション材を使用可能である。また、シートバック部２０を構成するバックフレーム２００の構成も簡易かつ軽量であり、これらを全て組み合わせた全体形状の構造が簡易で軽量化に適している。
【００４６】
なお、図１２に示したように、車両のリヤシート支持用フロア部の車幅方向端部に段差を設け、上記の車両用リヤシート１をサイドフレーム１０３，１０４のうちの少なくとも一方がこの段差上に位置するように突出させることにより、突出しているサイドフレームの下方を、かさなどの物品を収容可能な空間部として形成することも可能である。
【００４７】
また、上記した実施形態では、車両用リヤシート１に本発明を適用しているが、フロントシートにおいて、上記と同様の技術を適用することも可能である。但し、本発明は、軽量で薄肉化を図ることができると共に、所定の振動吸収特性や衝撃吸収特性をより限られたスペースで発揮できる構成であることから、設置スペースが制限されるリヤシートに適用することが特に好ましい。
【００４８】
（試験例）
（シートバック耐積荷強度試験）
上記実施形態において説明した車両用リヤシート１（実施例）における第１外枠フレーム２０１及び第２外枠フレーム２０２に、所定の大きさ、重量の荷物を後方から所定条件で衝突させる耐積荷強度試験を行った。具体的には、図１３（ａ）に示した、一方のサイドシート部１１に対応する第１外枠フレーム２０１の各ヘッドレスト用支持部２０７に配設されたヘッドレストフレーム２０８ａの中央（ＨＲ−ＬＨ、）センターシート部１３に対応する第１外枠フレーム２０１のヘッドレスト用支持部２０７に配設された各ヘッドレストフレーム２０８ａの中央（ＨＲ−ＣＴＲ）、他方のサイドシート部１２に対応する第２外枠フレーム２０２のヘッドレスト用支持部２０７に配設されたヘッドレストフレーム２０８ａの中央（ＨＲ−ＲＨ）の衝突前後の変位量（前後、上下）を測定することにより行った。比較のため、シートバック部にパネルフレームを用いた従来のリヤシートにも同様の試験を行った。その結果が図１４（ａ）である。
【００４９】
図１４（ａ）に示したように、実施例の方が、前後方向及び上下方向共に、比較例よりも変位量が小さく、後方からの積荷による衝撃に対する衝撃エネルギーの吸収機能に優れている。
【００５０】
（モーメント強度試験）
図１３（ｂ）に示したように、第１外枠フレーム２０１の上部フレーム２０１ｃの略中央部付近で最も高い部分に、前方から後方に荷重をかけることによりモーメント強度試験を行った。その結果が図１４（ｂ）である。
図１４（ｂ）に示したように、実施例の方が比較例よりも規定モーメントでの変位量が小さく、前方からかかる衝撃エネルギーに対する吸収機能も優れていることがわかる。
【符号の説明】
【００５１】
１  車両用リヤシート
１０  シートクッション部
１１，１２  サイドシート部
１３  センターシート部
１００  クッションフレーム
１０１  前縁フレーム
１０２  後縁フレーム
１０３，１０４  サイドフレーム
１０６  ワイヤ
１０７  プレート部材
１１０  シートクッション用パッド
１１１，１１２  メインパッド部
１１３  周縁パッド部
１２０  シートクッション用被覆部材
２０  シートバック部
２００  バックフレーム
２０１  第１外枠フレーム
２０２  第２外枠フレーム
２０３，２０４，２０５  体幹支持プレート
２２０  シートバック用被覆部材
【図１】
2014108741.tif 000003
【図２】
2014108741.tif 000004
【図３】
2014108741.tif 000005
【図４】
2014108741.tif 000006
【図５】
2014108741.tif 000007
【図６】
2014108741.tif 000008
【図７】
2014108741.tif 000009
【図８】
2014108741.tif 000010
【図９】
2014108741.tif 000011
【図１０】
2014108741.tif 000012
【図１１】
2014108741.tif 000013
【図１２】
2014108741.tif 000014
【図１３】
2014108741.tif 000015
【図１４】
2014108741.tif 000016